(57)【要約】      （修正有）【課題】検出部によって表示部の設置方向を検出し、その検出に基づいて表示情報を制御する情報表示装置を提供する。【解決手段】表示情報を表示する表示部と、前記表示部の設置方向を変更する設置方向変更部と、前記表示部の設置方向を検出する設置方向検出部と、前記設置方向の検出に基づいて前記表示情報を制御する制御部とを備える。【選択図】図２
2010139751.tif 000002
【特許請求の範囲】
【請求項１】
表示情報を表示する表示部と、
前記表示部の設置方向を変更する設置方向変更部と、
前記設置方向変更部によって変更された設置方向を検出する設置方向検出部と、
前記設置方向の検出結果に基づいて前記表示情報を制御する制御部と
を備えることを特徴とする情報表示装置。
【請求項２】
前記設置方向検出部は、前記表示部の上向き、下向き、縦向きまたは水平を検出する検出器である請求項１に記載の情報表示装置。
【請求項３】
前記制御部は、前記設置方向検出部の検出結果に基づいて、前記表示情報を通常価格情報または特別価格情報に制御する請求項１に記載の情報表示装置。
【請求項４】
更に、送信部を備え、前記設置方向検出部による設置方向の検出情報を情報管理装置に送信する請求項１から３までのいずれか１項に記載の情報表示装置。
【請求項５】
更に、温度検出器を備え、前記制御部は、前記設置方向検出部の検出結果に基づいて、前記表示部に温度を表示する請求項１に記載の情報表示装置。
【請求項６】
更に、照度計を備え、前記制御部は、前記設置方向検出部の検出結果に基づいて、前記表示部に照度を表示する請求項１に記載の情報表示装置。
【請求項７】
設置方向検出部によって、表示部の設置方向を検出する設置方向検出ステップと、
制御部によって、前記設置方向の検出結果に基づいて表示情報を制御する制御ステップと
を備えることを特徴とする情報表示方法。
【発明の詳細な説明】
【技術分野】
【０００１】
本発明は、表示情報を表示する情報表示装置および情報表示方法に関し、特に表示情報を簡単に変更することができる情報表示装置および情報表示方法に関する。
【背景技術】
【０００２】
本発明の情報表示装置は、例えば電子棚札として使用されるものである。電子棚札は、商品を陳列する陳列棚の近傍に設置され、店舗サーバーや棚札サーバーから単価情報を受信し、単価情報を書き換え表示するものである。生鮮食品などは店員が商品の鮮度や売れ行きを確認して、単価変更（値引き）を行い、店員が値引きシールを貼り付ける作業を行うとともに、ＰＯＳ端末に単価変更を通知する。或いは、ハンディターミナルを使用して、電子棚札の単価変更を行い、ハンディターミナルから店舗サーバー及び棚札サーバーに通信する。
また電子棚札装置の商品情報を制御する装置が特許文献１に開示されている。
特許文献１は、店員が適当なタイミングでＰＯＰ表示を切り換えることができる商品情報表示装置を開示している。即ち、販売商品に関する各種情報を表示する商品情報表示装置は、販売商品の販売価格表示部と、販売価格の付加情報を表示する付加情報表示部と、複数の付加情報を記憶する付加情報記憶部と、複数の付加情報から１つを選択する操作部を備え、操作部によって選択された付加情報を付加情報表示部に表示させる表示制御部を備えるものである。この特許文献１において、操作部は付加情報表示部の近くに配置されたスイッチであり、店員が操作することにより付加情報を選択することができる。
【特許文献１】特開２００８−１０７５２２号公報
【発明の開示】
【発明が解決しようとする課題】
【０００３】
しかしながら、上記のように、店員が価格変更のシールを貼り付けるとともに、ＰＯＳ端末に単価変更を通知する場合は、シールを貼り付ける作業と、ＰＯＳ端末に通知する間に時間差が生じ、顧客が混乱することがある。また、ハンディターミナルを使用して電子棚札の単価変更を行う場合は、ハンディターミナルの操作が必要になり、作業が複雑になる。
また、特許文献１に開示された商品情報表示装置は、表示部前面にスイッチを備え、スイッチの操作により商品情報を制御するので、スイッチを商品情報表示装置に備える必要がある。そのため、表示画面の面積を小さくしなければならない。またスイッチの操作が必要になるので、操作が面倒であり、またスイッチの数によって表示情報を制御できる数が制限される。
本発明は、上記のような課題を解決するものであり、表示部の設置方向を変更することにより表示情報を制御する情報表示装置および情報表示方法を提供することを目的とする。
【課題を解決するための手段】
【０００４】
上記課題を解決するため、本発明の情報表示装置は、表示情報を表示する表示部と、前記表示部の設置方向を変更する設置方向変更部と、前記設置方向変更部によって変更された設置方向を検出する設置方向検出部と、前記設置方向の検出結果に基づいて前記表示情報を制御する制御部とを備えることを特徴とする。
上記表示情報として、商品名、通常価格、特価価格、温度、照度等があり、本発明はこれらの表示情報を表示部の設置方向に応じて切り換え表示する。
上記設置方向検出部は、表示部の上向き、下向き、縦向き、または水平を検出する検出器であり、情報表示装置の内部に備えられるので、表示部の表示面積を小さくしない。また、設置方向検出部によって表示部の上向き、下向き、横向き、または水平を検出するので、多くの設置方向を設定することによって多くの表示情報を制御することができる。
本発明の情報表示装置は通信機能を備え、情報表示装置の設置方向に対応して、価格等の表示情報を書き換え、同時にＰＯＳ端末を管理するサーバーにも送信する。これにより、情報表示装置とＰＯＳ端末の商品情報を同一にすることができ、表示間違い、処理間違いをなくすことができる。
【０００５】
本発明は、上記課題を解決するため、別の観点によれば、情報表示方法であり、設置方向検出部によって、表示部の設置方向を検出する設置方向検出ステップと、制御部によって、前記設置方向の検出結果に基づいて表示情報を制御する制御ステップとを備えることを特徴とする。
これにより、表示部の種々の設置方向を検出することができるので、表示部の設置方向に応じて表示情報を制御することが可能になる。また検出部を情報表示装置の内部に備えるので、表示部の表示面積を小さくしない。
【発明の効果】
【０００６】
本発明の情報表示装置によれば、設置方向検出部によって表示部の設置方向を検出するので、スイッチの操作が不要であり、表示部の設置方向を変更することによって、表示情報を簡単に変更することができる。これによって、本発明の情報表示装置を電子棚札に使用した場合、商品の陳列現場で店員が商品の鮮度や売れ行きを確認して、単価更新を商品陳列現場で店員主導で行うことができる。そして、この単価更新は、棚札サーバー、店舗サーバー上のデータベースと連動した電子棚札システムを構築することができる。また検出部を情報表示装置の内部に備えるので、表示部の表示面積を小さくしない。また、検出部によって情報表示装置の設置方向を検出するので、多くの設置方向を設定することによって多くの表示情報を制御することができる。
【発明を実施するための最良の形態】
【０００７】
図１は、本発明の情報表示装置を電子棚札に使用した場合に、電子棚札含む店舗装置のブロック図を示す。
店舗装置は、電子棚札を管理する電子棚札システム１００と、商品情報、売上情報、発注情報などを管理する店舗システム２００からなり、店舗のバックヤード等に設置され、ＬＡＮにより接続される。これら電子棚札システム１００と、店舗システム２００により、商品管理装置が構成され、店舗内の商品管理が行われる。
電子棚札システム１００は、棚札サーバー２を備え、電子棚札１の中継器であるベースステーション３とＬＡＮにより接続され、ベースステーション３はトランシーバ４とＬＡＮにより接続される。棚札サーバー２は、店舗サーバー６より商品に関する情報、例えば商品名、商品コード、販売価格、単価、特価価格等を取得し、電子棚札１に表示するための表示データを作成する。商品情報としては、この外に、産地、生産者名、成分、タイムサービス期間、カロリー、販促メッセージ、販促映像、ＰＯＰなどがあり、これらも含めて電子棚札で表示するための表示データを適宜作成する。そして、ベースステーション３およびトランシーバ４を介し、電子棚札１に表示データを送信する。ベースステーション３は棚札サーバー２と棚札サーバー２とトランシーバ４間のデータを制御する機能と、トランシーバとして電子棚札１と通信する機能を併せ持つ。トランシーバ４は、店舗の天井や壁に設置され、複数の電子棚札１に対して１つのトランシーバ４が設置される。トランシーバ４は、電子棚札１と送受信する機能を持ち、２．４ＧＨｚ帯の双方向電波方式で、通信速度が２５０ｋｂｐｓの通信を行う。このように電波による通信以外に、赤外線を利用した通信も可能である。
【０００８】
店舗サーバー６は、複数のＰＯＳ端末７とＬＡＮにより接続され、ＰＯＳ端末７に対して、価格情報を送信し、販売処理を実行するとともに、ＰＯＳ端末７から売上情報を収集して、店舗の売上を集計する。また、店舗の天井や壁に設置した複数の無線ＬＡＮアクセスポイント８とＬＡＮにより接続される。無線ＬＡＮアクセスポイント８は、無線ＬＡＮにより店員が所有するハンディターミナル９と無線接続され、店舗サーバー６よりハンディターミナル９によって店員に指示したり、店員がハンディターミナル９によって送信する情報、例えば在庫数、商品補填個数、補填時間を収集したりして、店舗システム２００として管理する。
【０００９】
電子棚札１は、本発明において、情報表示装置と称され、商品の陳列棚（図示しない）、あるいは展示台の前方端部など陳列棚あるいは展示台の近傍に設置され、顧客に対象商品の価格、商品名、産地、生産者名、成分、タイムサービス期間、特価、カロリー、販促メッセージ、販促映像、ＰＯＰなどのコンテンツを表示する表示部を備える。表示部のほかに音声出力部を備えてもかまわない。電子棚札は、追加表示用、補修用などのために予備の電子棚札を用意している。
図２は、電子棚札１の正面図を示し、電子棚札１の筐体１Ａのほぼ中央部に液晶表示装置よりなる表示部１２１を備える。表示部１２１は、例えば特に消費電力が少ないコレステリック液晶のようにメモリ性のある液晶が適している。コレステリック液晶のメモリ性を利用することにより、駆動電流が不要になり、電子棚札１の電池寿命を長くすることができる。しかしコレステリック液晶以外に、ＴＮ液晶、有機ＥＬ表示装置、電子ペーパーのような表示装置であってもよい。表示部１２１は、図２に示すように商品の価格表示部分１２１ａ、タイムサービス時間表示部分１２１ｂ、商品情報表示部分１２１ｃ、通常価格表示部分１２１ｄ、単価表示部分１２１ｅのように表示部分を分割してもよいし、表示部分を分割しないで、価格、販促メッセージまたはＰＯＰだけを表示するようにしてもよい。また、これら以外にも産地、生産者名、成分、カロリー、販促メッセージ、販促映像を表示してもよい。電子棚札１は、裏面も表示部を備え、表面と裏面を使用できるようにすると、より多くの表示が可能になる。
【００１０】
電子棚札１は、筐体１Ａの表面または裏面に電子棚札固有の装置コード（図示しない）直接印刷したり、バーコードを印刷したバーコードラベルを電子棚札１に貼り付けたりして表示する。装置コードは、当該電子棚札の固有コードを含み、電子棚札の連続番号、設置場所、設置時期、電池交換時期などの情報を表示するものであり、例えば一次元バーコード、二次元バーコード、またはＩＰアドレスのようなコードである。装置コードと商品に表示した商品コードを一致させることにより、商品と電子棚札を照合するようにする。
電子棚札１は、無線モジュールを備え、ループアンテナ、バーアンテナなどよりなる送受信用通信アンテナ１５を有する。このように電波による通信以外に、赤外線を利用した通信も可能である。
【００１１】
電子棚札１の設置方向を変更して設置するため、設置方向変更部を備える。
設置方向変更部は、例えば、電子棚札の裏面に取り付けられ、回転ロック機構３１と、クリップ３２を有する。
図３（ａ）は、筐体１Ａの裏面斜視図を示す。図３（ｂ）は、回転ロック機構３１の詳細を説明する断面図、図３（ｃ）は、同裏面図を示す。図３（ｄ）は、回転ロック機構３１の操作を説明する図を示す。
図３（ａ）に示すように、回転ロック機構３１を構成するロック溝体３３は、電子棚札１の筐体１Ａの裏面ほぼ中央部に形成され、円形の形状を有する。ロック溝体３３は、ほぼリング状の形状に形成され、その内周部の４箇所に溝３３ａ〜３３ｄを有する。ロック溝体３３は、筐体１Ａと一体成型して構成してもよいし、リング状のロック溝体３３を筐体１Ａに取り付け固定してもよい。溝３３ａ〜３３ｄはリングの内周にほぼ均等配置され、電子棚札１を上下左右の４箇所の方向で固定できるようにしている。
図３（ｂ）に示すように、ロック溝体３３に対して、リング形状の平面を回転自在に回転鉤部材３４が取り付けられる。ロック溝体３３に回転鉤部材３４を取り付けるため、ロック溝体３３の上面に円周形状の溝を形成し、この溝に回転鉤部材３４が嵌まり込むように突起を有するとよい。回転鉤部材３４は、軸３５を備え、軸３５に磁性を有し金属製よりなるロック板３６が取り付けられる。図３（ｃ）に示すように、ロック板３６は、その先端部にロック部３６ａが形成され、上記溝３３ａ〜３３ｄに嵌まり合うようになっている。そして、ロック部３６ａが溝３３ａ〜３３ｄから抜け出ると、回転鉤部材３４はリング形状のロック溝体３３に対して回転可能になる。回転鉤部材３４はクリップ３２を備える。クリップ３２は、例えば強力バネ性のあるゼムクリップである。このゼムクリップ３２を商品陳列棚の端を挟むようにして電子棚札１を取り付ける。クリップの構造は、この例に限らず、はさみのような形状であってもかまわない。
【００１２】
設置方向変更部は、上記のように構成されるので、店員は磁石３７ａを内蔵する鍵３７を所有し、図３（ｄ）に示すように、鍵３７をロック板３６に接近させて，磁石３７ａの吸引力によりロック部３６ａを溝３３ａ〜３３ｄから抜き出す。すると、回転鉤部材３４は回転可能になるので、所望の方向に回転させる。そして、鍵３７をロック板３６から離し、ロック部３６ａを溝３３ａ〜３３ｄのいずれかに嵌め込む。これにより、ロック板３６を有する回転鉤部材３４とロック溝体３３の位置関係が決定される。その後、電子棚札１をクリップ３２を開き、棚の端部に挟み固定する。
【００１３】
別の例では、設置方向変更部は、電子棚札１の裏面に取り付けられた磁石であり、商品の陳列棚または展示台に設置方向を決めて吸着することにより設置する。電子棚札１が容易に取り外せないように磁石は強力な磁力を有するものを使用する。そして、店員は強力な磁力による吸着をはずすことができる装置を所有し、店員は必要に応じて電子棚札１を展示台または陳列棚からはずして、電子棚札１の設置方向を変更して、再度展示台または陳列棚に吸着させる。
あるいは、設置方向変更部は陳列棚または展示台に取り付けられた回転機構であり、この回転機構に電子棚札１を取り付け、回転機構によって電子棚札１の設置方向を変更できるようにする。この場合、電子棚札１の設置方向が容易に変更されないように、回転機構にロックを設け、店員がロックをはずす鍵を所有し、鍵によってロックをはずし、設置方向を変更する。このような設置方向変更部は一例であり、その他の構造の設置方向変更部を使用することが可能である。
【００１４】
図４は、電子棚札１のブロック図を示し、電子棚札１は、無線モジュール１１、液晶表示モジュール１２、センサー部１３、電源部１６を備えて構成される。
無線モジュール１１は、コントロールＩＣ１４と、アンテナ１５からなり、コントロールＩＣ１４は、ＣＰＵ１４１、ＲＯＭ１４２、ＲＡＭ１４３、ＲＴＣ（real-time clock）１４４、ＡＤＣ（analog-digital converter）１４５、ＲＦ部１４６、Ｉ／Ｏ１４７を有する。
【００１５】
ＣＰＵ１４１は電子棚札１の全体の処理動作を制御する部分であり、ＲＯＭ１４２に格納された電子棚札制御プログラムに従って処理動作する。ＲＯＭ１４２は電子棚札１の制御プログラムを格納する。電子棚札制御プログラムはＣＰＵ１４１により読み取られ、電子棚札１の制御動作を順次実行させる。ＲＡＭ１４３はワークメモリであり、電子棚札１が動作する場合にワークメモリとして使用され、表示データを記憶する。従って、電子棚札１が商品価格や特価を表示する場合に、その価格情報を記憶する。価格情報の外に、対象商品の商品名、販売時刻、販売数、成分表示、産地情報、イラスト、販促メッセージやＰＯＰを記憶する。更には、在庫、発注単位、発注数、前回発注日、担当者名など従業員用情報を記憶してもよい。ＲＴＣ１４４は電子棚札１の動作クロックを発生する部分である。ＡＤＣ１４５は、センサー部１３が検出した情報および電源部１４の電圧値、電流値などの電源情報をデジタル信号に変換する部分である。これら検出情報、電源情報は棚札サーバー２からの要求または指示により、トランシーバ４、ベースステーション３を経由して棚札サーバー２へ送信される。ＲＦ部１４６は、アンテナ１５に接続され、電子棚札１と、トランシーバ４が微弱電波によって通信を行うための高周波信号発生部である。電子棚札が棚札サーバー４から表示情報を受信し、受信が完了したときＡＣＫ信号を送信する。Ｉ／Ｏ１４７は液晶表示モジュール１２に表示情報を提供する入出力部である。
【００１６】
液晶表示モジュール１２は、コレステリック液晶表示部１２１のようにメモリ性のある液晶が用いられる。表示部１２１に商品価格や商品名などを表示するため、即ち書換えのため、Ｉ／Ｏ１４７から書換え情報が提供され、コモンドライバー１２２、セグメントドライバー１２３が備えられている。
【００１７】
センサー部１３は、電子棚札１の付近の温度を測定する温度センサー１３１と、電子棚札１の設置方向を検出する設置方向検出部１３２を備える。温度センサー１３１および設置方向検出部１３２は、電子棚札１の筐体１Ａ内部に固定するように取り付ける。
設置方向検出部１３２は、電子棚札１の筐体１Ａの設置方向を検出するスイッチである。筐体１Ａの設置方向は、上向き、下向き、縦向き、または水平に変更することができ、設置方向検出部１３２は、これらの設置方向を検出する。設置方向検出部１３２は、全てが筐体１Ａの上向き、下向き、縦向き、または水平を検出する必要はなく、用途に応じてこれら向きの一部を検出できるものであってもかまわない。例えば、設置方向検出部は、筐体１Ａの上向きと下向きだけを検出するものでもよい。このように筐体１Ａの向きを検出できる数が少なければ、スイッチの構造を簡単にすることが可能になる。
電源部１６は、バッテリー１６１を備え、コントロールＩＣに電源供給する。またＬＣＤ電源回路１６２を介してコモンドライバー１２２、セグメントドライバー１２３に電源供給する。
【００１８】
図５は、設置方向検出部１３２の一例を示し、上向き、下向き、縦向きを検出する。設置方向検出部１３２は、ほぼ三角形状の空間を形成する回転検出スイッチ体１３２ａの内部に導電性のボール１３２ｂを封入し、三角形状空間の中央凸部と、三角形状空間の一方の端部に、それぞれ一対の接触電極１３２ｃと１３２ｄを配置する。そして、接触電極１３２ｃと１３２ｄの一方の電極を接地端子１３２ｅに接続し、他方の電極にそれぞれプルアップ抵抗１３２ｆ，１３２ｇを接続して、ＡＤＣ１４５を経てＣＰＵ１４１に接続する。
このような構成において、電子棚札１の筐体１Ａが図４に示すように、上向きに設置されているとすると、導電性ボール１３２ｂは、通常状態ではＡ位置にあり、接触電極１３２ｂを短絡する。これによりＣＰＵ１４１は接触電極１３２ｂが”LOW”レベルになったことを検出し、筐体１Ａは上向きに設置されていると判断する。しかし、筐体１Ａの上下をひっくり返して設置すると、導電性ボール１３２ｂはＣ位置に移動する。これにより、接触電極１３２ｃと１３２ｄは短絡されないので、ＣＰＵ１４１は接触電極１３２ｃと１３２ｄがともに、”HIGH”レベルを検出して、筐体１Ａが下向きになっていることを認識する。さらに筐体１Ａが左に90度回転された場合は、導電性ボール１３２ｂがＢ位置に移動して、もう一方の接触端子１３２ｃが短絡され、”LOW”レベルになったことを検出し、CPUは筐体１Ａが縦向きに設置されたと判断する。
図４に示す設置方向検出部は一例であり、ジャイロ、加速度センサー、その他の検出部を使用することができる。
【００１９】
図５に示した設置方向検出部は、上向きと、下向きと、９0度回転した横向きを検出するが、図５の設置方向検出部を筐体１Ａの内部にＸ軸方向、Ｙ軸方向、およびＺ軸方向のように複数個配置して、筐体１Ａの上向き、下向き、横向き、水平方向、更に表向きまたは裏向きを検出することができる。
図６は、本発明の使用例を説明する図であり、図６（ａ）は電子棚札が上向きに設置された場合を示す。このようには、電子棚札が上向きに設置された場合は、電子棚札１は通常価格を表示する。この通常価格を棚札サーバー２と店舗サーバー６に連係することにより、ＰＯＳ端末７と連動することができる。そして、電子棚札１が上下をひっくり返して設置され、図６（ｂ）に示すように、下向きに設置された場合は、電子棚札１は特価価格を表示する。この特別価格を棚札サーバー２と店舗サーバー６に連係することにより、ＰＯＳ端末７と連動することができる。
また、電子棚札１が９０度回転して設置され、図６（ｃ）に示すように、縦向きに設置されたことを検出した場合は、電子棚札１は内蔵する温度センサーによって計測された温度を表示する。従って、この状態で店員が電子棚札を冷蔵品の陳列棚に持って行けば、冷蔵品の陳列棚の温度を検出することができ、店舗の任意の場所に設置すれば、その場所の温度を測定することができる。電子棚札１は、店舗内に数千個程度設置されているので、これら電子棚札によって測定した温度情報を店舗サーバー６に送信することにより、店舗サーバー６が冷蔵品の陳列棚の温度管理、室内の空調管理を行うことができる。或いは電子棚札が照度計を備えていれば、電子棚札の設置場所の照度を測定することができ、この照度情報を店舗サーバー６に送信することによって、店内の照明を管理または制御することが可能になる。
【００２０】
或いは、図５に示した設置方向検出部の接触電極１３２ｃと１３２ｄの接触が頻繁に変わる場合、衝撃センサーとして使用することができるので、電子棚札を店員が２度振ると、まとめ売り価格を表示するように棚札サーバー２からまとめ売り価格を受信する。又は電子棚札が水平方向に設置されたことを検出した場合は、棚札サーバー２は電子棚札１が設置位置から落下したと判断して、店舗サーバー６に警告を送ったり、または電子棚札が現在未使用状態であると判断して、電子棚札自身の電源をオフにしたり、することができる。
【００２１】
図７は、棚札サーバー２のブロック図を示す。棚札サーバー２は、制御部２１、メモリ２２、外部記憶部２３、通信部２４、表示部２５、入力部２６、計時部２７を備える。棚札サーバーはいわゆるコンピュータであり、これら以外の部分を備えていてもかまわない。
上記制御部２１はＣＰＵであり、棚札サーバー２をプログラムに従って制御する。メモリ２２は対象商品コードや電子棚札テーブルを記憶する。外部記憶部２３は、紐付けテーブル、接続情報テーブル、ＰＯＳ情報テーブルを記憶する。また外部記憶部２３は、棚札サーバー２の制御プログラムを格納し、制御部２１により読み取られ、棚札サーバーの制御動作を順次実行させる。外部記憶部２３は制御プログラムの外に、コンピュータのＯＳのようなプログラム、文書作成プログラム、図形プログラムのようなアプリケーションプログラムを格納してもよい。通信部２４は、ベースステーション３、店舗サーバー６と接続する有線ＬＡＮである。表示部２５は棚札サーバー２の入力内容、動作内容、記憶内容、指示内容をユーザが確認するための画面である。入力部２６は、マウス、キーボード、ポインタなどであり、ユーザが入力部２７を使用して、棚札サーバー２に通常価格や特価、商品名、商品情報、販売時刻、販売数、成分表示、産地情報、イラスト、販促メッセージやＰＯＰなど商品情報を入力する。この外に、在庫、発注単位、発注数、前回発注日、担当者名などを入力する。また棚札サーバー２に対する指示を入力する。
【００２２】
本発明の情報表示装置は以上のように構成され、以下のように動作する。
図８は、電子棚札１のフローチャートを示す。
先ず、電子棚札１の処理フローがスタートすると、ステップＳ１は、通常価格を読み出す。次のステップＳ２では、読み出した通常価格を表示部に表示する。そして、ステップＳ３では電子棚札の状態変数ｎ１にＡを代入し、ステップＳ４では、図４の設置方向検出部の状態を読み出す。次に、ステップＳ５で、センサーＡがＯＮか否か判断する。センサーＡとは図４に示した接触電極１３３である。センサーＡがＯＮであれば、ステップＳ６に進み、ステップＳ６で、センサー変数ｎ２にＡを代入する。ステップＳ５で、センサーＡがＯＮでなければ、ステップＳ７に移行し、センサーＢがＯＮか否か判断する。センサーＢとは図４に示した接触電極１３４である。センサーＢがＯＮであれば、ステップＳ８に進み、ステップＳ８で、センサー変数ｎ２にＢを代入する。ステップＳ７で、センサーＢがＯＮでなければ、ステップＳ９に移行し、ステップＳ８で、センサー変数ｎ２にＣを代入する。
【００２３】
次にステップＳ１０に移行し、ｎ１＝ｎ２かどうか判断する。ＹＥＳであれば、ステップＳ４に戻る。しかし、ＮＯであれば、ステップＳ１１に進み、ステップＳ１１で、ｎ２＝Ａかどうか判断する。ＹＥＳであれば、回転を検出する設置方向検出部は電子棚札が上向きに設置されていると判断して、ステップＳ１２で通常価格を読出し、ステップＳ１３で、通常価格を表示する。そして、ステップＳ１４では、通常価格に切り換えたことと、通常価格情報を棚札サーバー２に通知する。次にステップＳ１５で、ｎ１にｎ２を代入して、ステップＳ４に戻る。
上記ステップＳ１１において、ｎ２＝Ａでない場合、ステップＳ１６に移行し、ｎ２＝Ｂかどうか判断する。ＹＥＳであれば、回転を検出する設置方向検出部は電子棚札が縦向きに設置されていると判断して、ステップＳ１７で温度センサーの値を読出し、ステップＳ１８で、温度を表示する。そして、ステップＳ１９では、温度表示に切り換えたことと、温度情報を棚札サーバー２に通知する。次にステップＳ１５で、ｎ１にｎ２を代入して、ステップＳ４に戻る。
上記ステップＳ１６において、ｎ２＝Ｂでない場合、回転を検出する設置方向検出部は電子棚札が下向きに設置されていると判断して、ステップＳ２０で特別価格を読出し、ステップＳ２１で、特別価格を表示する。そして、ステップＳ２２では、特別価格に切り換えたことと、特別価格情報を棚札サーバー２に通知する。次にステップＳ１５で、ｎ１にｎ２を代入して、ステップＳ４に戻る。
【００２４】
図９は、店舗サーバー６のフローチャートを示す。ここでは店舗サーバー６と電子棚札１の処理フローに限定して説明する。
先ず、店舗サーバー６が処理フローをスタートすると、ステップＳ３１は、電子棚札１からのデータ受信待ちの状態になる。ステップＳ３２で、電子棚札１からの信号を受信したか否かを判断し、受信がなければステップＳ３１に戻り、受信待ち状態になる。電子棚札１から信号を受信すると、ステップＳ３３に移行し、受信信号は通常価格表示の通知か否か判断する。ＹＥＳであれば、ステップＳ３４に進み、電子棚札と同じ通常価格にデータベースを更新して、最初のステップＳ３１に戻る。
上記ステップＳ３３において、受信信号が通常価格表示の通知でなければ、ステップＳ３５に移行し、特別価格表示の通知か否か判断する。特別価格表示の通知であれば、ステップＳ３６に進み、電子棚札と同じ通常価格にデータベースを更新して、最初のステップＳ３１に戻る。
上記ステップＳ３５において、受信信号が特別価格表示の通知でなければ、ステップＳ３７に移行し、温度表示の通知か否か判断する。温度表示の通知であれば、ステップＳ３８で、電子棚札の温度データにデータベースを更新して、最初のステップＳ３１に戻る。上記ステップＳ３７において、受信信号が温度表示の通知でなければ、ステップＳ３９に移行し、その他の処理を実行して最初のステップＳ３１に戻る。
【図面の簡単な説明】
【００２５】
【図１】本発明の情報表示装置を含む店舗装置のブロック図である。
【図２】本発明の情報表示装置の外観図である。
【図３】本発明の情報表示装置の回転ロック機構とクリップを示す図である。
【図４】本発明の情報表示装置のブロック図である。
【図５】本発明の情報表示装置に使用される設置方向検出部の構成図である。
【図６】本発明の情報表示装置の使用状況を説明する図である。
【図７】本発明の情報表示装置を管理する棚札サーバーのブロック図である。
【図８】本発明の情報表示装置のフローチャート図である。
【図９】本発明の情報表示装置の情報を管理する店舗サーバーのフローチャート図である。
【符号の説明】
【００２６】
１  電子棚札
２  棚札サーバー
３  ベースステーション
４  トランシーバ
６  店舗サーバー
７  ＰＯＳ端末
３１  回転ロック機構
３２  クリップ
１Ａ  電子棚札筐体
１３２  回転方向検出部
【図１】
2010139751.tif 000003
【図２】
2010139751.tif 000004
【図３】
2010139751.tif 000005
【図４】
2010139751.tif 000006
【図５】
2010139751.tif 000007
【図６】
2010139751.tif 000008
【図７】
2010139751.tif 000009
【図８】
2010139751.tif 000010
【図９】
2010139751.tif 000011